(57)【要約】【課題】既設のカムロックに取付けたシリンダー錠をグレードの高い別のシリンダー錠に付替える際に簡単な作業で付替えが行え、かつ長期間メンテナンスフリーで部品の緩み，脱落防止が図れるように組立構造を改良した扉ロック装置を提供する。【解決手段】組立フレーム5の前面側から嵌挿したシリンダー錠４の外筒４ａを組立フレーム５にナット締結した上で、さらに前記シリンダー錠の内筒から背後に突出するネジ軸４ｂに施錠カム８を嵌挿してナット締結した組立構造になる自動販売機の扉ロック装置において、組立フレーム５を背面開放形のボックス構造とした上で、シリンダー錠４の外筒４ａに螺合した六角ナット（Ｍ１９）７の外周に背後側から嵌め合わせて組立フレーム５の内側に嵌合支持したナット固定金１２、および施錠カム８をシリンダー錠４のネジ軸４ｂに締結した六角ナット（Ｍ７）９を背後から覆って組立フレーム５にビス止めしたナット押え金１３を備える。【選択図】        図１
2011086177.tif 000002
【特許請求の範囲】
【請求項１】
シリンダー錠に施錠カムを組合せ、該シリンダー錠の施錠に連係して扉を閉位置にロックする自動販売機の扉ロック装置であり、扉の前面側から嵌挿した前記シリンダー錠の外筒を扉板の裏面に配した組立フレームにナット締結した上で、さらにシリンダー錠の内筒から背後に突出するネジ軸に施錠カムを嵌挿してナット締結した組立構造になるものにおいて、
前記組立フレームを背面開放形のボックス構造とした上で、該組立フレームには、シリンダー錠の外筒に螺合した六角ナットの外周に背後側から嵌め合わせて前記組立フレームの内側に嵌合支持したナット固定金、および前記施錠カムをシリンダー錠のネジ軸に締結した六角ナットを背後から覆って前記組立フレームに固定したナット押え金を組み付けたことを特徴とする自動販売機の扉ロック装置。
【請求項２】
請求項１に記載の扉ロック装置において、ナット固定金が、ボックス形組立フレームの内法寸法に合わせた方形板の板面中央にシリンダー錠締結用ナットの平径寸法に対応した係止角穴を開口した構造になることを特徴とする自動販売機の扉ロック装置。
【請求項３】
請求項１に記載の扉ロック装置において、ナット押え金は、ナット回し工具兼用として該押え金にシリンダー錠締結用の六角ナット，および施錠カム締結用の六角ナットの呼び径にそれぞれ対応したナット回し用溝穴を形成した上で、組立フレームにビス止めして固定したことを特徴とする自動販売機の扉ロック装置。
【発明の詳細な説明】
【技術分野】
【０００１】
この発明は、自動販売機の外扉に装備したシリンダー錠付きの扉ロック装置に関し、詳しくはその組立構造に係わる。
【背景技術】
【０００２】
昨今の自動販売機では、高い防盗性を確保するために、主ハンドルロックとは別に、通称キーシリンダーと呼ばれるシリンダー錠に施錠カムを組合せた補助ロックを追加装備して扉を二重にロックするようにした扉ロック装置が多く採用されている（例えば、特許文献１参照）。
【０００３】
次に、自動販売機に装備した前記補助ロック（シリンダー錠付きカムロック）の従来構造を図６，図７に示す。なお、図６は自動販売機の庫内側から見たカムロックの取付配置、図７（ａ），（ｂ）はカムロックの組立図，分解図である。
【０００４】
まず、図６において、１は自動販売機のキャビネット、２はキャビネット１の前面に配した外扉、３は外扉２に装備したシリンダー錠付きカムロックの組立体である。外扉２を閉じた状態では外扉２に設けた掛け金（不図示）がキャビネット１の前端に設けたフック状の受け金に係合して外扉２を閉位置にロックしている。この扉ロック状態からシリンダー錠にキーを差し入れて解錠すると、シリンダー錠の後端に結合した施錠カムが回転して前記掛け金を釈放位置に移動し、これによりハンドルロックの手動操作で外扉２が開けられる状態になる。
【０００５】
次に、前記カムロック３の組立構造を図７（ａ），（ｂ）に示す。図において、４はシリンダー錠、５は前記外扉の裏面に設けた平板状の組立フレーム、６はワッシャ、７はシリンダー錠４の外筒４ａの周面に形成した雄ねじに螺合してシリンダー錠４を組立フレーム５に締結する六角ナット（呼び径：Ｍ１９）、８はシリンダー錠４の内筒（シリンダー）から背後へ突出するネジ軸４ｂに嵌挿した施錠カム、９はシリンダー錠のネジ軸４ｂに螺合して施錠カム８を締結する六角ナット（呼び径：Ｍ７）、１０は施錠カム８の復帰ばね（捩じりコイルばね）、１１は施錠カム８と前記掛け金との間を連繋する索条である。
【０００６】
なお、前記シリンダー錠４は、各メーカーで製作した自動販売機にも共通に取り付けられるように日本自動販売機工業会で制定した規格(ＪＶＭＡ１００１）に基づく市販品で、その詳細構造を図８（ａ）〜（ｄ）に示す。図示のようにシリンダー錠４の外筒４ａ，および内筒の後端から背後に突き出したネジ軸４ｂの断面形状は左右側部を半月状にカットした小判形であり、シリンダー錠の全長Ｌ、前端鍔部４ｃの外径φ１，長さＬ１、外筒４ａのネジ径φ２，断面幅Ｄ１，長さＬ２、およびネジ軸４ｂの断面幅Ｄ２はそれぞれ前記規格で定めた寸法に規定されている。また、シリンダー錠のキー回転角は右９０度回転が標準で、かつ解錠位置ではキーが抜けないような構造になっている。
【０００７】
上記のカムロック３を自動販売機の外扉２（図６参照）に装着するには、まず扉ロック装置をモジュールとして組立てる。これは、組立フレーム５の前面側から組立フレーム５に形成した錠取付穴５ａ（シリンダー錠４の外筒４ａの断面形状に相応した小判形状の穴）にシリンダー錠４をリング状のパッキンと重ねて嵌挿した上で、組立フレーム５の裏面側からシリンダー錠４の外筒４ａに螺合した六角ナット７（呼び径：Ｍ１９）を自在レンチなどの工具を使って締結する。次に、シリンダー錠４の後端側から復帰ばね１０，施錠カム８（施錠カムの基部には前記ネジ軸４ｂの断面形状に相応した小判形状の穴を開口しておく）を嵌挿した上で、前記と同様な工具を使ってシリンダー錠４のネジ軸４ｂに螺合した六角ナット９（呼び径：Ｍ７）を締め付けて施錠カム８を締結し、さらにナットの緩み防止のために接着剤を塗布して固着する。その後、扉ロック装置がモジュールとして組み付けられた組立フレーム５を外扉２の裏面側からその扉板に形成した錠取付け穴（シリンダー錠４の前端鍔部４ｃの断面形状に対応した丸穴：不図示）にシリンダー錠４の前端鍔部４ｃを嵌挿した上で、組立フレーム５を扉板にネジ止めし、施錠カム８の先端に植設したピンと掛け金との間に索条１１を敷設して扉ロック装置の組み付けが完了する。
【先行技術文献】
【特許文献】
【０００８】
【特許文献１】特開２００１−６０３８号公報（図４，図５）
【発明の概要】
【発明が解決しようとする課題】
【０００９】
前記したカムロック３は自動販売機の外扉２に標準装備した上で、自動販売機の製品を出荷する。この場合にメーカー側が用意してカムロック３に組み付けるシリンダー錠４は、標準的なグレード品を標準装備している。
【００１０】
一方、自動販売機を購入したユーザーは、自動販売機の設置場所の条件（屋内設置，屋外設置）によっては、ピッキング，錠の破壊攻撃などに対して安全度の高いグレードのシリンダー錠（日本自動販売機工業会規格(ＪＶＭＡ１００１）の適合品）をユーザーが独自に購入して既設のシリンダー錠（標準品）に付替えて使用するケースが多い。この場合に、シリンダー錠の付替えは、自動販売機の据付け先の現場でユーザー自身，ないしはユーザーから委託を受けた業者が行うことになる。
【００１１】
ところで、先述した扉ロック装置では、カムロック３のシリンダー錠４，および該シリンダー錠４に結合する施錠カム８を締結するためにネジ径が異なる二種類（Ｍ１９，Ｍ７）の六角ナット７，９を使用して締結している。このために既設のシリンダー錠を取り外して新規に購入したシリンダー錠に付替えるには、各ナットのネジ径に対応する自在レンチなどの特殊工具が必要で、かつその作業には手間と時間がかかる。
【００１２】
また、六角ナット７，９の締め付けが不十分であると、従来の組立構造では長期使用の間に、シリンダー錠４の施錠，解錠操作の繰り返しに伴うナットの戻り回転が原因で六角ナット７，９に緩みが生じてガタついたり、最悪の場合にはナットが外れてシリンダー錠４，施錠カム８が脱落するおそれがある。このため、接着剤を使用してナットの緩み止めが施されるとこがあるが、この場合にはシリンダー錠の付替えが一層煩雑なものとなる。
【００１３】
そこで、この発明は既設のシリンダー錠に代えてユーザーが独自に用意した別のシリンダー錠に交換する場合に、自在レンチなどの特殊工具を必要とせずに簡単な作業でシリンダー錠を付替えることができ、しかもシリンダー錠の付替え後は施錠，解錠操作の繰り返しにより六角ナットが緩んで不測に部品が脱落しないように組立構造を改良した自動販売機の扉ロック装置を提供することを目的とする。
【課題を解決するための手段】
【００１４】
上記目的を達成するために、この発明によれば、扉の前面側から嵌挿したシリンダー錠（日本自動販売機工業会規格（ＪＶＭＡ１００１）の適合品）の外筒を扉板の裏面に配した組立フレームにナット締結した上で、さらに前記シリンダー錠の内筒から背後に突出するネジ軸に施錠カムを嵌挿してナット締結した組立構造になる自動販売機の扉ロック装置において、
前記組立フレームを背面開放形のボックス構造とした上で、シリンダー錠の外筒に螺合した六角ナットの外周に背後側から嵌め合わせて前記組立フレームの内側に嵌合支持したナット固定金、および前記施錠カムをシリンダー錠のネジ軸に締結した六角ナットを背後から覆って前記組立フレームの内側に組込み、かつこの位置で組立フレームに固定したナット押え金を備えるものとし（請求項１）、そのナット固定金，およびナット押え金は具体的に次記のような態様で構成する。
（１）前記のナット固定金が、ボックス形組立フレームの内法寸法に合わせた方形板の板面中央にシリンダー錠締結用ナットの平径寸法に対応した係止角穴を開口した構造になる（請求項２）。
（２）前記のナット押え金をナット回し工具兼用として、該押え金にシリンダー錠締結用の六角ナット，および施錠カム締結用の六角ナットの呼び径にそれぞれ対応したナット回し用溝穴を形成した上で、当該ナット押え金を組立フレームにビス止めして固定する（請求項３）。
【発明の効果】
【００１５】
上記構成により、自動販売機の製品出荷後にその扉ロック装置のシリンダー錠をグレードの高いシリンダー錠（日本自動販売機工業会規格（ＪＶＭＡ１００１）の適合品）に付替える際には、自在レンチなどの特殊工具を使わずに通常のネジ回しドライバーを用意するだけで、シリンダー錠の付替え作業を自動販売機の据付け現地でも簡単に行うことができる。
【００１６】
すなわち、ドライバーを使って組立フレームにビス止めしたナット押え金を取り外した上で、シリンダー錠，施錠カムを締結している六角ナットを手回しで緩め，締め付け操作行う（必要に応じて前記のナット押え金をナット回し工具として用いることができる）ことにより、自在レンチなどの特殊工具を使わずに簡単，かつ短時間の作業でシリンダー錠を簡単に付け替えることができる。
【００１７】
しかも、シリンダー錠の付替え後は、解錠，施錠操作を繰り返し行っても組立フレームの内側に組み付けたナット固定金の係止角穴にシリンダー錠の締結ナットが嵌まり込んで緩みの発生を阻止する。また、組立フレームの後端に組み付けてビス止めした押え金は、前記固定金を押さえ込んで定位置に保持するとともに、施錠カムを締結している六角ナットが緩んでシリンダー錠のネジ軸から脱落するのを阻止する。これにより、扉ロック装置をメンテナンスフリーのまま長期間安全に使用できて信頼性確保が図れる。
【図面の簡単な説明】
【００１８】
【図１】この発明の実施例によるカムロック組立体の分解斜視図である。
【図２】図１に示したカムロックの組立図であって、（ａ），（ｂ）はそれぞれ前面側，背面側から見た外観斜視図である。
【図３】図１に示したカムロックの組立手順の説明図であって、（ａ）〜（ｆ）はそれぞれ異なる組立段階を順に表す斜視図である。
【図４】この発明の実施例によるカムロック組立体を庫内側から見た取付配置図である。
【図５】図１における押え金の異なる実施例の外形斜視図である。
【図６】自動販売機の外扉に装着した従来のカムロック組立体を庫内側から見た取付配置図である。
【図７】図６におけるカムロックの従来における組立構造図であって、（ａ），（ｂ）はそれぞれ組立，分解状態を表す斜視図である。
【図８】日本自動販売機工業会規格(ＪＶＭＡ１００１）に適合するシリンダー錠の構成図で、（ａ）〜（ｄ）はそれぞれ正面図、側面図、背面図、および外筒の断面形状図である。
【発明を実施するための形態】
【００１９】
以下、この発明の実施の形態を図１〜図５に示す実施例に基づいて説明する。なお、図中で、図６，図７に対応する同一部材には同じ符号を付してその説明は省略する。
まず、図１において、この発明によるカムロック３（自動販売機の補助ロック）は、シリンダー錠４（日本自動販売機工業会規格(ＪＶＭＡ１００１）の適合品）と、背面開放形のボックス構造になる組立フレーム５と、施錠カム８と、シリンダー錠４を締結する六角ナット（Ｍ１９）７，施錠カム８を締結する六角ナット（Ｍ７）９と、この発明により新たに追加して前記組立フレーム５の内方に組み込んだナット固定金１２、および組立フレーム５の後端に組み付けてフレームに固定したナット押え金１３との組立体からなり、図４で示すように自動販売機の外扉２の裏面側に装着される。なお、この図中で符号２ａは外扉２をキャビネット１に開閉可能に取付けるヒンジ金具である。
【００２０】
ここで、組立フレーム５は、図示のように前面壁の中央にシリンダー錠４の外筒４ａの断面形状に対応した錠取付穴５ａを開口し、その上下，左右辺にフランジを板金曲げしたボックス構造体になり、その上下フランジ部５ｂに穿孔したビス穴５ｃにビス１４を通してナット押え金１３をビス止めするようにしている。
【００２１】
また、背後側から組立フレーム５のフレーム内側に組み込んだナット固定金１２は、組立フレーム５の内法寸法に合わせた方形状の板で、その板面中央にはシリンダー錠４の外筒４ａに螺合した六角ナット（Ｍ１９）７の平径サイズに高さを定めたナットの係止角穴１２ａが開口し、その上下縁に沿ってＬ形の鍔部１２ｂが折り曲げ形成されている。さらに、ナット固定金１２の右側縁には当該固定金を組立位置で組立フレーム５に仮止めする凸状の係合爪１２ｃが形成されている。
【００２２】
一方、組立フレーム５の後端に配したナット押え金１３は、図示のように上下面，および左側面を前方に突き出して板金曲げ加工した立体形状になり、その後端壁面には前記シリンダー錠４から後方に突き出したネジ軸４ｂに対応した逃げ穴（丸穴）１３ａが開口し、上下の壁面１３ｂには先記した組立フレーム５の上下フランジ部５ｂに穿孔したビス穴５ｃに合わせてビス１４を螺合するビス穴１３ｃが形成されている。
【００２３】
また、施錠カム８の回転中心には従来品と同様にシリンダー錠４の内筒から後方に突き出したネジ軸４ｂの断面形状に対応した小判形の軸穴８ａが開口し、カムの先端には操作ピン８ｂが植設されている。
【００２４】
次に、上記構成になるカムロック３は自動販売機の外扉２（図４参照）に装着する前にモジュールとして組立てられ、その組立手順を図３により説明する。まず、図３（ａ）で示すように、組立フレーム５の前方側から錠取付穴５ａにシリンダー錠４（シリンダー錠４の前端鍔部４ｃにはあらかじめゴム製のパッキンリングを嵌め込んでおく）を嵌挿し、この状態で外扉の裏面側からシリンダー錠４の外筒４ａに六角ナット（Ｍ１９）７を螺合して手回しにより締め付け（図３（ｂ）参照）、シリンダー錠４が前後にガタつかないように締結する。なおこの場合に、ナットの締結位置では六角ナット（Ｍ１９）７の上下端面が水平を向くように調整しておく。
【００２５】
次に、図３（ｃ）で示すように背後からナット固定金１２を組立フレーム５の内側に嵌入して六角ナット（Ｍ１９）７の上下端面に係止角穴１２ａを嵌め合わせ、この状態で固定金の係合爪１２ｃを組立フレーム５の側壁面に開口したスリット状の係合溝に差し込んで仮止めする（図３（ｃ）参照）。これにより、六角ナット（Ｍ１９）７はナット固定金１２の係止角穴１２ａに係合して回り止めされた状態となる。
【００２６】
続いてシリンダー錠４の内筒から後方に突き出したネジ軸４ｂに施錠カム８を嵌挿し（図３（ｄ）参照）、さらに六角ナット（Ｍ７）９を手回しによりねじ込んで施錠カム８を締結する（図３（ｅ）参照）。
【００２７】
最後に、図３（ｆ）で示すようにナット押え金１３を背後から組立フレーム５の内側に挿入し、このナット押え金１３の後端面に開口した逃げ穴１３ａをシリンダー錠４から後方に突き出したネジ軸４ｂに位置合わせした上で、図１に示した上下フランジ部１３ｂに穿ったビス穴１３ｃにビス１４を螺合して組立フレーム５に固定し、これでカムロック３の組立が完了する。なお、カムロック３のモジュールとしての組立状態を図２に示す。
【００２８】
このカムロック３の外扉２への組み付け手順は従来と同様であり、外扉２の裏面側から扉板に開口した錠取付穴にシリンダー錠（図２（ａ）の組立フレーム５から突出した前端鍔部）を嵌挿した上で、組立フレーム５を扉板にネジ止めする。
【００２９】
なお、図２に示したカムロック３の組立状態，および外扉２への組み付け状態では、ナット押え金１３の後端壁面が施錠カム８を締結した六角ナット（Ｍ）９を背後から覆って対峙している。また、ナット押え金１３の上下フランジ部１３ｂ，および左側壁の先端がストッパの役目を果たして組立フレーム５の内方に組み込んだ前記のナット固定金１２を押さえ込み、このナット固定金１２の係止角穴１２ａが六角ナット（Ｍ１９）７から外れないにように拘束保持する。
【００３０】
次に、前記ナット押え金１３についての応用実施例を図５に示す。すなわち、図５のナット押え金１３は、先記したシリンダー錠４を締結する六角ナット（Ｍ１９）７，および施錠カム８を締結する六角ナット（Ｍ７）９のナット回し工具を兼ねるように、押え金の後端面，および上面の壁面に六角ナット７，９のネジ径に対応したナット回し用溝穴１３ｄ，および１３ｅが打ち抜き加工されている。
【００３１】
このナット押え金１３は次のように使用する。すなわち、先記の組立手順で述べたように組立フレーム５からナット押え金１３を取り外した状態で、ナット押え金１３に形成した前記溝穴１３ｄ，１３ｅを六角ナット７，９に嵌め合わせて回すことで、自在レンチのような特殊工具を使わずに六角ナットの締め付け，緩め操作を簡単に行うことができる。
【００３２】
上記の構成で、自動販売機の前方からシリンダー錠４にキーを差し込んで解錠操作（右回りに９０度回転）すると、六角ナット７はナット固定金１２の係止角穴１２ａに回り止めされた状態で、シリンダー錠４の内筒（シリンダー）とネジ軸４ｂに結合した施錠カム８が回転して自動販売機の扉ロックを釈放する。これにより外扉２が開けられるようになる。また、外扉２を閉じた状態でシリンダー錠４を施錠位置に回すと、これに連動して施錠カム８がロック位置復帰して外扉２が鎖錠される。
【００３３】
この場合に、上記カムロック３の組立状態では、シリンダー錠４を締結している六角ナット（Ｍ１９）７は組立フレーム５に嵌入したナット固定金１２により完全に回り止めされているので、施錠，解錠操作を繰り返し行ってもナットが緩んでシリンダー錠４がガタついたりするおそれがない。また、施錠，解錠の繰り返し操作により施錠カム８を締結している六角ナット（Ｍ７）９が緩んできても、該ナット９がナット押え金１３の壁面に当たってそれ以上にナットの緩みが進行することがなく、これにより六角ナット（Ｍ７）９の不測な脱落を防止できる。なお、シリンダー錠４のネジ軸４ｂに嵌挿した施錠カム８は、ナット９が緩んでもネジ軸４ｂから脱落しない限りは機能が損なわれることはない。これにより、長期に亙りメンテナンスフリーのままでカムロック３を安全に使用できて信頼性が向上する。
【００３４】
一方、自動販売機を購入したユーザーが当初から扉ロック装置に標準装備されているシリンダー錠４を防盗性のグレードが高い別なシリンダー錠に付替える場合の作業は次のような手順で行う。まず、外扉２を開放した状態で扉の裏面側からドライバー（ネジ回し）を使って先記したビス１４（図１参照）を緩め、いままで組立フレーム５の後端に固定されていたナット押え金１３を取り外す。続いて背後からシリンダー錠４のネジ軸４ｂに螺合して施錠カム８を締結していた六角ナット（Ｍ７）９、およびシリンダー錠４を締結していた六角ナット（Ｍ１９）７を手回し，もしくは図５で述べたナット回し工具兼用のナット押え金１３を使って緩め、六角ナット７，９，および施錠カム８を抜き取る。これにより外扉２の前方側からシリンダー錠４を自由に抜き取ることができる。その後に、新規に付替えるシリンダー錠４を図３で述べた組立手順にしたがって装着し、カムロック３を組立てる。この組立工程でも六角ナット７，９は手回し，もしくは図５に示したナット押え金１３をナット回し工具として使うことにより、自在レンチなどの特殊工具を使わずに簡単に締め付けることができる。
【符号の説明】
【００３５】
１：自動販売機のキャビネット
２：自動販売機の外扉
３：カムロック
４：シリンダー錠
４ａ：外筒
４ｂ：ネジ軸
５：組立フレーム
７：六角ナット（Ｍ１９）
８：施錠カム
８ａ：軸穴
９：六角ナット（Ｍ７）
１２：ナット固定金
１２ａ：係止角穴
１３：ナット押え金
１３ｅ，１３ｂ：ナット回し用溝穴
１４：ビス
【図１】
2011086177.tif 000003
【図２】
2011086177.tif 000004
【図３】
2011086177.tif 000005
【図４】
2011086177.tif 000006
【図５】
2011086177.tif 000007
【図６】
2011086177.tif 000008
【図７】
2011086177.tif 000009
【図８】
2011086177.tif 000010